(57)【要約】【課題】植木鉢に植えた植物等の持ち運び、並びにディスプレイにも好適に使用できる取っ手付き紙製容器を提供する。【解決手段】取っ手１３ａ，１３ｂが取り付けられた各側板３，５の内側には係止部１１ａ，１１ｂ，１１ｃ，１１ｄが切り込み形成されており、容器を組み立てるときに、前記取っ手が取り付けられた各側板を立ち上げて前記係止部を連結板７，１０，８，９に係止することにより容器が組み立てられるとともに前記取っ手が取り付けられた各側板の立ち上がった状態が維持されるものであることを特徴とする取っ手付き紙製容器１。【選択図】　　図１
2004123113.tif 000002
【特許請求の範囲】
【請求項１】
四角形状の底板と、該底板の対向する２辺から立ち上がる１組の側板と、前記底板の他の対向する２辺から立ち上がり、前記１組の側板よりも高く、かつ上縁部に取っ手が取り付けられている１組の側板と、隣り合う側板を連結するとともに前記取っ手が取り付けられている側板に一部分が貼り付けられている４つの連結板とを具備する取っ手付き紙製容器であって、前記取っ手が取り付けられた各側板の内側には係止部が切り込み形成されており、容器を組み立てるときに、前記取っ手が取り付けられた各側板を立ち上げて前記係止部を前記連結板に係止することにより容器が組み立てられるとともに前記取っ手が取り付けられた各側板の立ち上がった状態が維持されるものであることを特徴とする取っ手付き紙製容器。
【請求項２】
前記取っ手付き紙製容器を構成する紙が、厚紙又はマイクロフルート段ボールであることを特徴とする請求項１に記載の取っ手付き紙製容器。
【請求項３】
前記取っ手付き紙製容器を構成する紙が、水溶性樹脂コートが施されたものであることを特徴とする請求項１又は請求項２に記載の取っ手付き紙製容器。
【請求項４】
前記取っ手が、布製の紐であることを特徴とする請求項１ないし請求項３のいずれか１項に記載の取っ手付き紙製容器。
【請求項５】
前記取っ手付き紙製容器が、さらに蓋を具備するものであることを特徴とする請求項１ないし請求項４のいずれか１項に記載の取っ手付き紙製容器。
【発明の詳細な説明】
【０００１】
【発明の属する技術分野】
本発明は、植物を植えた植木鉢等の持ち運び、並びにそのディスプレイにも使用できる取っ手付きの紙製容器に関する。
【０００２】
【従来の技術】
従来、園芸店等で植木鉢に植えた植物を購入して手で持ち帰る際には、取っ手用の孔があいたポリ袋の中に植木鉢ごと入れて持ち帰るのが一般的である。
しかしながら、植木をポリ袋の中に入れて手で運ぶとなると、ポリ袋の取っ手に近い部分がしぼんで植物を圧迫したり、何かにぶつけるなどして、花や枝を傷めてしまう場合があった。
また、持ち帰った植木鉢を吊るしてディスプレイするような場合には、専用の容器が必要であった。
【０００３】
他方、洋菓子店で購入したケーキ等を持ち帰るための容器として紙製の容器が使用されている。このような紙製容器として、容器の底面、側面、蓋、及び取っ手が一体的に形成された展開形状の厚紙を係止して組み立てるものが提案されている（例えば、特開平９−２４９３０号公報参照。）。
しかしながら、このように取っ手が一体的に形成された紙製容器は、取っ手の自由度が小さいため、手で持ち難いという問題がある上に肩にかける等するのは不可能である。また、容器を使用する際、組み立てが面倒であるほか、容器の中のもを取り出すには係止した部分を解く必要があり、取り出し難いという問題もある。
【０００４】
【特許文献１】
特開平９−２４９３０号公報（図１〜図３）
【０００５】
【発明が解決しようとする課題】
そこで、本発明では、上記問題を解決するべく、植木鉢に植えた植物等の持ち運び、並びにディスプレイにも好適に使用できる取っ手付き紙製容器を提供することを目的とする。
【０００６】
【課題を解決するための手段】
上記目的を達成するため、本発明によれば、四角形状の底板と、該底板の対向する２辺から立ち上がる１組の側板と、前記底板の他の対向する２辺から立ち上がり、前記１組の側板よりも高く、かつ上縁部に取っ手が取り付けられている１組の側板と、隣り合う側板を連結するとともに前記取っ手が取り付けられている側板に一部分が貼り付けられている４つの連結板とを具備する取っ手付き紙製容器であって、前記取っ手が取り付けられた各側板の内側には係止部が切り込み形成されており、容器を組み立てるときに、前記取っ手が取り付けられた各側板を立ち上げて前記係止部を前記連結板に係止することにより容器が組み立てられるとともに前記取っ手が取り付けられた各側板の立ち上がった状態が維持されるものであることを特徴とする取っ手付き紙製容器が提供される。
【０００７】
このような取っ手付き紙製容器であれば、取っ手が取り付けられた各側板を立ち上げて係止部を係止することにより極めて容易に組み立てることができる。また、取っ手を取り付けた長い方の側板は、立ち上がった状態が維持されているので、容器の中に例えば植木鉢を入れて取っ手をつかんで持ち運んでも、枝や花は立ち上がった側板により保護されるので傷めずに済むとともに、安定した持ち運びを行うことができる。また、取っ手が取り付けられていない側の対向する側板は比較的低いので、植木鉢を隠しつつ花の部分だけが外から見えるようにすることができる。従って、この紙製容器に植木鉢を入れたまま取っ手を引っ掛けてディスプレイすることもできる。更に、容器に収容した植木鉢やケーキ等を取り出すのも容易である。
【０００８】
この場合、前記取っ手付き紙製容器を構成する紙が厚紙又はマイクロフルート段ボールであることが好ましい。
厚紙であれば強度が高く、特に、マイクロフルート段ボールを使用したものであれば強度が一層向上したものとなり、植木等の比較的高重量のものの持ち運びにも十分耐えることができる。
【０００９】
また、前記取っ手付き紙製容器を構成する紙は、水溶性樹脂コートが施されたものとすることもできる。
このように容器を水溶性樹脂コートが施された紙で構成すれば、耐水性に優れたものとなり、水に濡れても容器の強度が低下したり、破れたりするのを防ぐことができる。
【００１０】
前記取っ手は、布製の紐とすることができる。
このように布製の紐からなる取っ手であれば、丈夫である上、柔軟性があり、長さも自在に調整できるので、自由度が高く、肩に掛けるなどして持ち運び易いものとすることができる。
【００１１】
本発明の取っ手付き紙製容器は、さらに蓋を具備するものであっても良い。
このようにさらに蓋を具備していれば、例えばケーキ等の清潔な状態で持ち運ぶ必要があるものに対してより好適に使用することができる。また、蓋を取りさえすれば、ケーキ等を簡単に取り出せるという利点もある。
【００１２】
【発明の実施の形態】
以下、図面を参照しながら本発明の実施の形態について具体的に説明する。なお、好適な態様として、紙製容器の中に植木鉢を入れる場合について主に説明するが、本発明はこれらに限定されるものではない。
図１は本発明に係る取っ手付き紙製容器の一例を示したものであり、図２はその組み立て前の状態を示し、さらに図３は取っ手を取り付ける前の展開形状を示している。
【００１３】
この取っ手付き紙製容器１は、四角形状の底板２の対向する２辺から１組の側板４，６が立ち上がり、他の対向する２辺からは前記側板４，６よりも高く、かつ上縁部に取っ手１３ａ，１３ｂが取り付けられている１組の側板３，５が立ち上がっている。さらに、この容器１は、隣り合う側板を連結するとともに取っ手１３ａ，１３ｂが取り付けられている側板３，５に一部分が貼り付けられている４つの連結板７，８，９，１０を具備している。
そして、取っ手１３ａ，１３ｂが取り付けられた各側板３，５の内側には係止部１１ａ，１１ｂ，１１ｃ，１１ｄが切り込み形成されており、図２の状態から図１のように容器１を組み立てるときに、取っ手１３ａ，１３ｂが取り付けられた側板３，５を立ち上げて係止部１１ａ，１１ｂ，１１ｃ，１１ｄをそれぞれ連結板７，１０，８，９に係止することにより容器１が組み立てられる。また、このような係止部を介して容器を組み立てることにより、取っ手１３ａ，１３ｂが取り付けられた各側板３，５の立ち上がった状態が維持される。
【００１４】
この取っ手付き紙製容器１の構成及び組み立て方についてさらに詳しく説明する。
まず、容器１を構成する紙（原紙）を、図３に示したような１枚の展開形状の紙１ａに打ち抜き加工する。使用する紙は容器としての強度が十分保てるものが好ましく、厚紙（板紙）、特にマイクロフルート段ボールが好ましい。マイクロフルート段ボールは段ボールの一種であり、中芯の段の高さが例えば１ｍｍ前後、あるいは１ｍｍ未満となる薄い段ボールである。マイクロフルート段ボールであれば、いずれの方向にも折り曲げ易く加工性に優れる上、強い強度を発揮することができる。
【００１５】
さらに、紙製容器１に耐水性を持たせるのであれば、容器１を構成する紙として、水溶性樹脂コートが施されたものを使用することができる。
ここで水溶性樹脂コートとは、紙に被覆させた水溶性樹脂の膜や層のことであり、具体的に本発明で使用できる水溶性樹脂としては、例えば、カゼイン、アルブミン、ゼラチン等の天然高分子化合物、メチルセルロース、カルボキシメチルセルロース、ヒドロキシエチルセルロース等の水溶性セルロース類、ポリエチレングリコール、ポリプロピレングリコール等のポリエーテル類、（メタ）アクリル酸系ポリマー、アクリル−スチレン共重合体等の水溶性アクリル系樹脂、及び水溶性ポリブチラール、ポリビニルアルコール等の水溶性合成高分子化合物が挙げられる。なお、本発明で使用できる水溶性樹脂は上記に挙げたものに限定されず、紙に膜状に被覆した際、例えば数日間から数週間、水の漏れを防止する耐水性、防湿性、撥水性等を示すものであれば特に限定されない。
【００１６】
このような水溶性樹脂が被覆された、すなわち水溶性樹脂コートが施された紙は、耐油性、耐水性、防湿性、撥水性等を有するものとなる。従って、厚紙等の片面あるいは両面に水溶性樹脂コートを施したものを用いることで、容器に耐水性等の機能を付与することができる。例えば、樹脂コートした面が容器１の内側となるようにすれば、容器内に水気のあるものを入れても強度の低下を防ぐことができるし、一方、樹脂コートした面が外側となるようにすれば、外面に水がかかったときの強度の低下を防ぐことができる。
なお、これらの水溶性樹脂は、水、あるいは必要に応じて薬品を含む水溶液等によって溶解されるので、容器が使用済み等の理由で不要となった場合には、容易にリサイクルすることができるという利点がある。
【００１７】
本発明では、上記のような原紙を用い、図３のような展開形状に打ち抜き加工する際、取っ手が取り付けられる各側板３，５の両側部分に、容器を組み立てるときに連結板７，８，９，１０に係止するための係止部１１ａ，１１ｂ，１１ｃ，１１ｄを切り込み形成しておく。なお、係止部は、図３に示されるような左右いずれかに傾斜した形状に限定されるものではないが、容器を組み立てたときに係止される連結板７，８，９，１０の上縁部に相当する位置から下方に延びて連結板と十分係合するように切り込み形成する。
【００１８】
次に、図３の展開形状の原紙１ａを、所定の箇所を予め糊止め等により貼り付けておくことでワンタッチで組み立てられるようにする。
まず、対向する１組の側板４，６に形成されている糊代４ａ，６ａを罫線２０ｂ，２０ｄに沿って内側に折り曲げて貼り付ける。貼り付け手段としては、糊、接着剤、両面粘着テープ等を使用することができる。これにより上縁部分が二重となって側面の強度を高くすることができる。
【００１９】
次いで、原紙１ａを罫線２１ａ，２１ｂに沿って両側から折り曲げ、各連結板７，８，９，１０の所定の一部分を側板３，５に貼り付ける。具体的には、例えば連結板１０に関しては、外側上方から底板に向かって４５°の角度に形成されている罫線２２ｄより上の部分１０ａを、それと重なり合った側板３の一部３ｅに貼り付ける。また、側板３の折り返した両側部分３ａ，３ｃも折り重なった中央部分３ｂに貼り付けるようにしてもよい。他の連結板７，８，９及び側板５についても同様に貼り付ける。
【００２０】
さらに、側板３の糊代３ｄを罫線２０ａに沿って内側に折り返し、側板３の重なった部分３ａ，３ｂ，３ｃ上に貼り付ける。これにより、取っ手を取り付ける側板３の上縁部では原紙が３重となって強度が極めて高くなるとともに、例えば右側の重なった部分３ｂ，３ｃ，３ｄに形成されている、取っ手を取り付けるための各孔１２ａ，１２ｂ，１２ｃが合致する。対向する側板５等についても同様に折り曲げと貼り付けを行う。
【００２１】
このように側板３，５の上縁部に形成された孔に外側から、取っ手として布製の紐１３ａ，１３ｂの端部を通し、端部を結んで玉を形成することで図２のような組み立て前の状態とすることができる。
なお、取っ手に関しては布製の紐に限定されないが、布製の紐であれば丈夫であり、柔軟性もあるので自由度が高いものとなり、手で非常につかみ易いという利点がある。但し、例えばビニール製の紐や、紙を撚った紐を使用しても良い。また、取っ手の長さは、手でつかむことができる長さであれば特に限定されないが、例えば肩に掛けて下げられるほどの長さとすれば、重いものを入れて運ぶときに便利である。
【００２２】
紙製容器１を保管、あるいは輸送する際には、図２の状態としておくことで嵩張らず、場所を取ることもない。
そして容器を使用する際には、取っ手１３ａ，１３ｂが取り付けられた側板３，５をそれぞれ罫線２３ｂ，２４ｂに沿って外側から内側に向けて折り曲げて底板２から立ち上げると同時に、他の組の対向する側板４，６は各罫線２２ａ〜２２ｄ，２３ａ，２３ｃ，２４ａ，２４ｃに沿って内側から外側に向けて折り曲げて底板２から立ち上げることができる。これにより各側板３，４，５，６によって囲まれる部分が開き、収容部が形成される。
【００２３】
そして取っ手１３ａ，１３ｂが取り付けられた側板３，５の係止部１１ａ，１１ｂ，１１ｃ，１１ｄを、容器の内側となるようにそれぞれ対応する連結板７，１０，８，９に係止する。例えば、側板３の係止部１１ａ，１１ｂについては、図１に示されるように、各係止部１１ａ，１１ｂをそれぞれ折り重なった連結板７，１０（７ｂ，１０ｂ）に対して容器１の内側となるように係止する。対向する側板５の係止部１１ｃ，１１ｄについても、それぞれ２つに折り重なった連結板８，９に同様に係止する。これによりワンタッチで図１のような容器１を組み立てることができる。
【００２４】
このように組み立てられた紙製容器１では、取っ手１３ａ，１３ｂが取り付けられた側板３，５は立ち上がった状態が維持されている上、底板２から取っ手１３ａ，１３ｂの手でつかむ部分まで十分な間隔が確保される。従って、例えば図４に示したように、紙製容器１に花２６を植えた植木鉢２５を収容して取っ手１３ａ，１３ｂをつかんで持ち運ぶ際、側板３，５によって花が保護される。このため、たとえ肩に掛けて持ち運んだとしても、側板３，５の側を体に触れるようにすれば、花を折ってしまうようなこともないし、服を汚してしまうこともない。また、他の組の対向する側板４，６は比較的低いので、植木鉢２５は隠れる一方、花の部分は外から見えるので、紐（取っ手）１３ａ，１３ｂを支持手段として利用し、適当な場所に引っ掛けてそのままディスプレイすることもできる。
【００２５】
本発明の取っ手付き紙製容器は、さらに蓋を具備するものとしてもよい。例えば、側板４，６に掛かるような蓋を備えることで、ケーキ等を入れて持ち運ぶ際にもゴミが入るようなことがなく、清潔な状態を保つことができる。また、容器の中のものを取り出すときは、蓋だけを開けて中のものを容易に取り出すことができる。なお、蓋は例えば角型の嵌め込み式のものを別途設けても良いし、低い方の側板４，６のいずれか一方に一体的に設けたものでも良い。
【００２６】
本発明は、上記実施形態に限定されるものではない。上記実施形態は単なる例示であり、本発明の特許請求の範囲に記載された技術的思想と実質的に同一な構成を有し、同様な作用効果を奏するものは、いかなるものであっても本発明の技術的範囲に包含される。
例えば、容器に収容するものは実施形態で例示した植木鉢やケーキに限定されず、ジュースや弁当、その他本発明の取っ手付き紙製容器は多くの用途に適用することができる。
【００２７】
【発明の効果】
以上のように、本発明の取っ手付き紙製容器は、高い方の対向する１組の側板に係止部を設け、容器を組み立てるときに、係止部を、隣り合う側板を連結する連結板に係止することにより容器が組み立てられるとともに取っ手が取り付けられた側板の立ち上がった状態が維持される。このような取っ手付き紙製容器であれば、極めて容易に組み立てることができる。また、容器の中に例えば植物を植えた植木鉢を入れ、取っ手をつかんで持ち運ぶとき、取っ手が取り付けられた高い方の側板が立っているので、花や枝を傷めずに安定して持ち運ぶことができる。また、低い方の対向する側板側からは植木鉢が隠れる一方、花が見えるようにすることもできるので、鉢を容器に入れたまま取っ手を引っ掛けてディスプレイすることもできる。
【図面の簡単な説明】
【図１】本発明に係る取っ手付き紙製容器の一例を示す概略斜視図である。
【図２】図１に示した紙製容器の組み立て前の状態を示す平面図である。
【図３】図１に示した紙製容器（取っ手を取り付ける前）の展開図である。
【図４】花を植えた植木鉢を取っ手付き紙製容器に収容した状態を示す概略正面図である。
【符号の説明】
１…取っ手付き紙製容器、　１ａ…原紙（展開形状）、　２…底板、
３，５…取っ手が取り付けられた側板、　４，６…側板、
７，８，９，１０…連結板、　１１ａ，１１ｂ，１１ｃ，１１ｄ…係止部、
１３ａ，１３ｂ…取っ手、　２０，２１，２２，２３，２４…罫線、
２５…植木鉢、　２６…花。
【図１】
2004123113.tif 000003
【図２】
2004123113.tif 000004
【図３】
2004123113.tif 000005
【図４】
2004123113.tif 000006